(57)【要約】【課題】トイレに設置され一般的に汚物入れと呼ばれている収容箱において収容口を開けただけでは中に収容している汚物等のゴミが容易に見えないようにすること。【解決手段】落とし穴部を設けた仕切り板を取りつけることで本体内部を仕切り板上部と収容部に分けることと、天板に設けた収容口側より仕切り板に設けた落とし穴部側を低く傾斜させた状態で仕切り板を本体内部に取りつけることで天板の収容口から入れられた汚物等のゴミは仕切り板の表面を落とし穴部の方向へ滑り落ち、落とし穴部から収容部へ落下し天板の収容口から覗いても見えないのである。【選択図】　　図１
2004091204.tif 000002
【特許請求の範囲】
【請求項１】
本体（１）の上側に取りつけた天板（４）に収容口（５）を設け、本体（１）の裏側下部に収容した汚物等のゴミを取り出すための取り出し口（８）を設ける。本体（１）内部に落とし穴部（７）を設けた仕切り板（６）を取りつけるとき、天板（４）に設けた収容口（５）側を高くし仕切り板（６）に設けた落とし穴部（７）側が低くなるように傾斜させた状態で本体（１）内部に取りつけることで、本体（１）内部は、仕切り板上部（２）と仕切り板（６）下部の収容部（３）に分けられ、天板（４）に設けた収容口（５）から入れられた汚物等のゴミは仕切り板（６）の表面を落とし穴部（７）方向に滑り落ち、落とし穴部（７）から収容部（３）に落ちるため収容口（５）を開けても仕切り板（６）によって収容部（３）に収容している汚物等のゴミが容易に見えない構造に為された汚物等ゴミ収容箱。
【発明の詳細な説明】
【０００１】
【発明の属する技術分野】
本発明は、ゴミの中でも特にトイレや洗面所に設置されている汚物入れなどと呼ばれている水洗トイレに流すことができない使用済み生理用品等のゴミを収容するための収容箱であり、蓋が開けられ容易に収容されている汚物等のゴミが見える従来のものと違い、収容口は簡単に開けられるが収容されている汚物等のゴミを容易に見ることができない構造と為した汚物等ゴミ収容箱に関する。
【０００２】
【従来の技術】
従来のゴミ箱や汚物入れと呼ばれている汚物等ゴミ収容箱は、本体そのものが収容部と上蓋だけで構成されているので上蓋部を開けると簡単に収容部が見えるため収容されている使用済み生理用品等のゴミが見られてしまい家庭内のトイレだけでなく特定の人が使用するトイレや女性専用のオフィスのトイレでも次に入ってきた人に見られてしまうかもしれない心配と恥ずかしさが生じるのであった。
【０００３】
【発明が解決しようとする課題】
従来のトイレや洗面所に設置されている汚物入れと一般に呼ばれているものは、上蓋が容易に開けられ上蓋を開けると収容部がまる見えになっているため特定の人が使用するオフィスのトイレにおいては使用する人が限られており、女性専用となっていても次の人が使用した場合、上蓋を開けると中身が見えてしまうので恥ずかしいが水洗トイレに流すことができずその処理に困っていた。また、不特定多数の人が使用する場合、ほとんどが知らない人だとは言え、すれ違いに入って来た次の人に見られるのではないかと心配したりしなければならなかった。特に家庭ではトイレが一ヶ所であることが多く、家庭とは言え簡単に見えてしまうことは避けたいものであり、ましてや来客があった場合など家の人も使用した来客も見られたくないものであった。
【０００４】
【課題を解決するための手段】
本発明は、本体内部の収容部を仕切り板で仕切り、仕切り板を取りつけたとき収容口側とは離れた反対側の位置に落とし穴部を設けているため、本体内部が仕切り板上部と仕切り板下部の収容部に分かれ、天板の収容口を開けても収容部内は、落とし穴部から見える一部しか見えなくなっているのであり、本体内部に仕切り板を取りつけるとき、収容口側を高くし、落とし穴部側を低くし取りつけることで仕切り板に傾斜がつき汚物等のゴミを丸めて収容口から仕切り板上部に入れると仕切り板の表面を滑り落ち落とし穴部から収容部に落下させることができるので、仕切り板によって天板に設けた収容口を次の人が開けても収容部に落ちた汚物等のゴミを容易に見ることができなくなるのである。
【０００５】
【発明の実施の形態】
本発明は、本体内部を従来のようにそのまま収容部にするのではなく、落とし穴部を設けた仕切り板により本体内部を仕切り板上部と収容部に分けることと、天板に設けた収容口側を高くし、仕切り板に設けた落とし穴部側が低くなるように本体内部に仕切り板を傾斜させた状態で取りつけることにより収容口から入れられた汚物等のゴミは仕切り板の表面を滑り落ち、落とし穴部から収容部へ落下させることで収容口から容易に見ることができなくするものである。
【０００６】
本体の形状は、四角柱でも円柱の形状でも何でも良いが、設置される場所が主にトイレや洗面所の狭い空間であることが多いので、三角柱の形状にするとトイレの角部を利用して場所を取らなくなるので効果的である。
【０００７】
ある程度収容できる容積を確保するために本体の大きさを大きくするときは、横に広くしたりするよりは、高くした方が仕切り板の取りつけ傾斜を大きくできるので汚物等のゴミを滑り落とさせることに関して効果的であり、設置場所の広さと、使用頻度に合わせて大きさを考慮すると効果的である。
【０００８】
仕切り板を取りつける位置は、本体内部の下側に近づきすぎると傾斜を取りづらくなる上に収容スペースが少なすぎ汚物等のゴミがすぐ一杯になって仕切り板の上部にまで溢れてくるので、天板に設けた収容口から汚物等のゴミを入れるのにじゃまにならないなるべく上の方から傾斜をつけて設けると効果的である。
【０００９】
仕切り板の形状は、平板が一般的であるが表面が滑りやすくできれば、平板でなくても良いのである。
【００１０】
仕切り板の傾斜は、天板に設けた収容口から汚物等のゴミを入れたとき、仕切り板の表面をスムーズに滑って落とし穴部から収容部に滑り落ちる傾斜が必要であり、仕切り板の材質も表面が平滑な材質にすると滑りやすいので効果的である。
【００１１】
仕切り板に設ける落とし穴部は、仕切り板を本体内部に取りつけたとき、天板に設けた収容口とは離れた反対側に位置する部分に設けると、収容口を開けても落とし穴部から仕切り板より下の収容部に収容してある汚物等のゴミが見えないので効果的である。
【００１２】
仕切り板に設ける落とし穴部の大きさは、仕切り板を滑り落ちてくる汚物等のゴミの中で小さく丸めた使用済み生理用品等のゴミが落とし穴部で引っ掛かって収容部へ落ちないことのないような大きさにする必要がある。
【００１３】
収容口を天板に設けるときは、収容口を開けたとき収容口から仕切り板に設けた落とし穴部から下がほとんど見えないようにするために仕切り板に設けた落とし穴部から反対側に位置するような離れた位置に設けると効果的である。
【００１４】
天板に設けた収容口は、通常閉まっており上に引っ張るか、下に押すことにより開けることができる開閉式でも、収容口として口蓋がなく穴部を設けただけのものでも良いが、口蓋があった方が、清潔的であり、安心感があるので効果的である。
【００１５】
天板に設けた収容口の大きさは、汚物等のゴミの中でかさばる使用済み生理用品を小さく丸めて入る位の大きさにするとスムーズに入れることができ便利であり、落とし穴部から収容部へ落下させなければならないので収容口は落とし穴部の大きさより小さくした方がスムーズに落とし穴部から落下させることができ効果的である。
【００１６】
収容口を設ける場所は、仕切り板の上を滑り落とすことができ、収容口から本体内部を覗いて見たとき、落とし穴部から下の収容部がほとんど見えなければ天板だけでなく本体の上縁部でも良いのである。
【００１７】
収容部にたまった汚物等のゴミを取り出すときは、収容部内に受け箱を取りつけておき、本体内部に取りつけた仕切り板の落とし穴部側である本体の裏側下部に取り出し口を設けて、取り出し口から受け箱を取り出して捨てるようにすると一度に処理でき便利である。
【００１８】
また、受け箱にビニール袋を被せて使用すると、ビニール袋ごと捨てることができ受け箱が汚れず便利である。
【００１９】
【実施例】
実施例について図面を参照して説明すると、図１において、本体（１）の上側に取りつけてある天板（４）に収容口（５）を設け、本体（１）の裏側下部に取り出し口（７）を設ける。落とし穴部（７）を設けた仕切り板（６）を本体（１）内部に取りつけるとき、天板（４）の収容口（５）側を高くし仕切り板（６）に設けた落とし穴部（７）側を低く傾斜させた状態で取りつけることで本体（１）内部は仕切り板上部（２）と収容部（３）に分けられる。
【００２０】
図２は、本発明の分解図であり、本体（１）上側に収容口（５）を設けた天板（４）を取りつけ、本体（１）内部に落とし穴部（７）を設けた仕切り板（６）を取りつけ、本体（１）裏側下部に取り出し口（７）を設ける。
【００２１】
図３においては本体（１）内部の機能を示す断面図であり、天板（４）に設けた収容口（５）を開け、使用済み生理用品の汚物等ゴミを丸めて入れると、本発明の汚物等ゴミ収容箱の内部は、収容口（５）側が高く、収容口（５）から離れた反対側に設けた落とし穴部（７）に向かって低くなるように仕切り板（６）自体を傾斜させて本体（１）内部に取りつけているので仕切り板（６）の表面にある使用済み生理用品等の汚物ゴミは仕切り板（６）の表面を滑り落ち、落とし穴部（７）から落下し、仕切り板（６）の下の収容部（３）に収容されるのであり、再び収容口（５）を開けても仕切り板（６）により収容された汚物等のゴミは見ることができないのである。
【００２２】
本発明の仕切り板（６）に設けた落とし穴部（７）と天板（４）に設けた収容口（５）の位置関係は、離れた反対側に設ける場合以外に、汚物等のゴミを落とし穴部（７）から収容部（３）に落とすことができ、収容口（５）を開けたとき落とし穴部（７）から収容部（３）に収容してある汚物等のゴミが見えなければ正反対の位置に設けなくても良いのである。
【００２３】
本体（１）上側の天板（４）に設けた収容口（５）は、落とし穴部（７）の反対側の離れたことろに位置し、収容部（３）も仕切り板（６）の下であるので、収容口（５）は、蓋を設けず開放の状態にしても収容してある汚物等のゴミはほとんど見えないのであるが、蓋を設けて開閉式にした方が心理的に蓋をしたという安心感と臭いを閉じ込めて外に洩らさないので効果的である。
【００２４】
天板（４）に設けた収容口（５）の形状は、トイレットペーパー等に包んだり、小さく丸くまるめた使用済み生理用品等のゴミが入れやすければ円形状でも半円形状であっても三角形状であっても良く、落とし穴部（７）の形状も、仕切り板（６）の表面を滑り落ちてきた使用済み生理用品等のゴミが収容部（３）にスムーズに落下させることができれば、円形状でも、半円形状でも、扇形状でも良いのである。
【００２５】
図４においては、収容部（３）に収容されている汚物等のゴミを取り出す内容を示した図であり、取り出し扉（８）を本体（１）の裏側下部に設けており、取り出し扉（８）から受け箱（９）を収容部（３）内に入れることにより、収容された使用済み生理用品等のゴミを捨てるとき取り出し扉（８）から受け箱（９）を引き出せば処理がスムーズに行えるのであるが、捨てる処理が面倒でなければ受け箱（９）はなくても良いのである。また、受け箱（９）にビニール袋をセットできるようにすればさらにスムーズに処理ができるようになり、受け箱（９）も汚れなくてすむが、これも同様に処理が面倒でなければなくても良いのである。また、取り出し扉（８）と本体（１）をつなぐ鍵を設けて鍵を開けなくては取り出せないようにしても良いのである。
【００２６】
落とし穴部（７）に引っ掛かって収容部（３）に落ちなかった汚物等のゴミを押して落下させるために、収容口（５）からさしこんで落とすことができるように付属品として棒状物を付けると便利である。
【００２７】
本発明は、従来と同じようにトイレや洗面所の隅に設置して、容易に収容できるのであるが、収容口（５）を開けても収容した使用済み生理用品等のゴミが見えないことを目的としているのであり、デザインや意匠を述べているものではないのである。
【００２８】
【発明の効果】
本発明は、以上述べてきたような内容で実施され、以下に記載するような効果を奏する。
【００２９】
本発明を使用することによって、従来の汚物入れと違って蓋や収容口を開けても、前に収容してある汚物等のゴミが見えないので不快感がないのである。
【００３０】
本発明を使用することによって、ゴミの中で使用済み生理用品等のゴミのように人に見られたくないゴミを収容しても次の人に容易に見られることがないため安心して収容することができるのである。
【００３１】
本発明を使用すれば収容した使用済み生理用品等のゴミを容易に見られることがないので、特に、特定のトイレや使用する人が限定されているトイレで使用しても見られる不安から解放されるのである。
【００３２】
本発明を設置しておけば、使用済み生理用品等のゴミを捨てるとき、従来のように見られる恥ずかしさから収容せずいちいち持ち出して別のゴミ箱に判らないように収容したり、捨てるところに困り水洗トイレに流して詰まらせたり、来客のときにいちいちトイレから取り除かなくても良く、ビニール袋を被せた受け箱に収容すれば、たまった所でビニール袋ごとゴミ出しの日に他のゴミと一緒に出せば良いのである。
【図面の簡単な説明】
【図１】本発明の斜視図である。
【図２】本発明の分解図である。
【図３】本発明の断面図である。
【図４】本発明の取り出し方法を示す図である。
【符号の説明】
１　　本体
２　　仕切り板上部
３　　収容部
４　　天板
５　　収容口
６　　仕切り板
７　　落とし穴部
８　　取り出し扉
９　　受け箱
【図１】
2004091204.tif 000003
【図２】
2004091204.tif 000004
【図３】
2004091204.tif 000005
【図４】
2004091204.tif 000006